(57)【要約】【課題】ディスクを挿排する装置の挿排口を塞ぐために設けられたシャッタ開閉装置では、受圧回転レバー等を有する回動部、及び連結移動板等を用いてシャッタを開閉するするものは組立作業に手間がかかり、連結移動板等の部品が必要となるため、作業効率を向上し、部品点数を削減したディスクのシャッタ開閉装置を実現することを課題とする。【解決手段】前面パネルの開口の裏面に設けられ、開口を塞ぐ、もしくは開放するように開閉するシャッタ開閉装置において、シャッタとその一端が接続され、回転支持軸に軸支された回転レバーと、回転レバーの他端を押圧し、回転レバーを回転させて、シャッタを開閉する押圧レバーとを備えたことを特徴とする。【選択図】　図１
2004022002.tif 000002
【特許請求の範囲】
【請求項１】
前面パネルの開口の裏面に設けられ、該開口を塞ぐ、もしくは開放するようにシャッタを開閉するシャッタ開閉装置において、
前記シャッタとその一端が接続され、回転支持軸に軸支された回転レバーと、
前記回転レバーの他端を押圧し、前記回転レバーを回転させて、前記シャッタを開閉する押圧レバーとを備えたことを特徴とするシャッタ開閉装置。
【請求項２】
前記回転レバーには、前記シャッタの開閉力に対応して付勢する弾性体が設けられてなることを特徴とする請求項１記載のシャッタ開閉装置。
【請求項３】
前記回転レバーは、前記押圧レバーによる押圧範囲に対応させて、該回転レバーの回動範囲が所定範囲内に規制されるようなスライド面を有する形状に形成されてなることを特徴とする請求項１又は２記載のシャッタ開閉装置。
【請求項４】
前記押圧レバーには、樹脂材で成形された押圧板が設けられてなることを特徴とする請求項１記載のシャッタ開閉装置。
【請求項５】
前記押圧レバーには、前記押圧板が交換可能な状態で、一体に連結固定されてなることを特徴とする請求項４記載のシャッタ開閉装置。
【請求項６】
前記シャッタにより開閉される前記パネルの開口が、ディスクの挿排に用いられてなり、
前記シャッタの裏面部には、ディスクを挿排ガイドする貫通孔を有するガイド板が近接されて配設されてなることを特徴とする請求項１記載のシャッタ開閉装置。
【請求項７】
前記ガイド板に設けられた前記貫通孔は、断面がディスクの挿排方向に該貫通孔の中央部が狭められる傾斜のテーパ面を有し、挿排方向に直交する方向が長円形状、又は長楕円形状に成形されてなることを特徴とする請求項６記載のシャッタ開閉装置。
【請求項８】
前記シャッタの下部面には、該シャッタの開放時に、前記ガイド板の上部前縁との隙間を塞ぐリブが設けられ、
前記ガイド板の下部前縁には、前記シャッタの閉鎖時に、前記リブが当接する突出部が設けられてなることを特徴とする請求項６又は７記載のシャッタ開閉装置。
【発明の詳細な説明】
【０００１】
【発明の属する技術分野】
本発明は、前面パネル等の開口を開閉するためのシャッタ開閉装置に関するものであり、特に記録媒体に映像や音声等のデータの記録、再生を行うディスク装置等に用いられ、ディスクを挿排する挿排口を開閉するためのシャッタ開閉装置に関する。
【０００２】
【従来の技術】
図６は従来のディスクのシャッタ開閉装置を示す動作説明図で、（ａ）は正面断面図、（ｂ）は正面図である。
【０００３】
従来のディスクのシャッタ開閉装置５０について、図６を参照して説明する。
【０００４】
ディスクのシャッタ開閉装置（以降、シャッタ開閉装置と総称する）５０は、１例として、ＣＤ、ＭＤ、ＤＶＤ等の記録媒体を挿排する挿排口８ａが設けられた前面パネル８を有するディスク装置１等に用いられ、この挿排口８ａを開閉するために設けられたシャッタ５１を前面パネル８に取付固定したものである。
【０００５】
シャッタ開閉装置５０は、挿排口８ａを開閉するシャッタ５１、シャッタ５１を上下移動する連結移動板５３、シャッタ５１と連結移動板５３を連動する連結ピン５２、連結移動板５３を押圧回動する押圧回転レバー５６と受圧回転レバー５５と回転軸５７を有する回転部５４、ディスク挿排駆動部２に連結された押圧レバー５８、及びシャッタ５１を閉鎖するための付勢機構部５９等で構成されている。
【０００６】
このシャッタ開閉装置５０の動作は、ＣＤ等のディスク４をディスク装置１に挿排する時には、ディスク装置１の前面パネル８に設けられたイジェクト釦６をＯＮ操作して行われる。このイジェクト釦６のＯＮ操作により、ディスク挿排駆動部２が起動し、ディスク挿排駆動部２に連結された押圧レバー５８が矢印Ｐ５１の方向に移動し、回転部５４に設けられた受圧回転レバー５５が押圧レバー５８で押圧されて回転軸５７を支点として回動される。この受圧回転レバー５５の矢印Ｒ５１方向への回動に連動して、押圧回転レバー５６が回動することにより、押圧回転レバー５６が連結移動板５３を押圧し、連結移動板５３を矢印Ｐ５２方向に移動する。この連結移動板５３の矢印Ｐ５２方向への移動により、連結移動板５３に形成された傾斜面を有するカム形状のガイド孔５３ｂに挿排連結されている連結ピン５２（シャッタ５１に設置固定されたもの）がガイド孔５３ｂに押圧ガイドされて、上部方向の矢印Ｈ５１方向へ連動移動される。これにより、連結ピン５２が設置固定されているシャッタ５１の下部面５１ａの位置Ｓ５１が上部の位置Ｓ５２まで矢印Ｈ５１方向へ連動移動され、ディスク装置１の前面パネル８の挿排口８ａが開放することになり、この挿排口８ａからディスク４を挿排するようにしたものである。
【０００７】
そして、ディスク４を挿排した後は、ディスク挿排駆動部２が逆方向に駆動し、ディスク挿排駆動部２に連結された押圧レバー５８が矢印Ｐ５１とは逆の方向に移動し、受圧回転レバー５５への押圧が解除される。そして、連結移動板５３は引っ張りバネ等を有する付勢機構部５９により、矢印Ｐ５２とは逆の方向に付勢されて移動し、シャッタ５１が前面パネル８の挿排口８ａを閉鎖することになる。
【０００８】
又、ディスク装置１に格納されているディスク４を取り出す時には、前面パネル８に設けられたロード釦７をＯＮ操作し、ディスク挿排駆動部２を駆動し、ディスク挿排駆動部２に連結された押圧レバー５８を移動することにより行われる。
【０００９】
【発明が解決しようとする課題】
以上のように、受圧回転レバー等を有する回動部、及び連結移動板等を用いてシャッタを開閉するディスクのシャッタ開閉装置では、連結移動板等の部品数が多く必要で組立作業に手間がかかり、しかも連結移動板等を設置するスペースが必要であった。
【００１０】
本発明は、このような問題を解決するもので、部品点数の削減と作業効率の向上、及び省スペース化を図ったディスクのシャッタ開閉装置を実現することを課題とする。
【００１１】
【課題を解決するための手段】
上記目的を達成するために、本発明は、前面パネルの開口の裏面に設けられ、該開口を塞ぐ、もしくは開放するようにシャッタを開閉するシャッタ開閉装置において、前記シャッタとその一端が接続され、回転支持軸に軸支された回転レバーと、前記回転レバーの他端を押圧し、前記回転レバーを回転させて、前記シャッタを開閉する押圧レバーとを備えたことを特徴とするものである。
【００１２】
また、前記回転レバーには、前記シャッタの開閉力に対応して付勢する弾性体が設けられてなることを特徴とするものである。
【００１３】
また、前記回転レバーは、前記押圧レバーによる押圧範囲に対応させて、該回転レバーの回動範囲が所定範囲内に規制されるようなスライド面を有する形状に形成されてなることを特徴とするものである。
【００１４】
また、前記押圧レバーには、樹脂材で成形された押圧板が設けられてなることを特徴とするものである。
【００１５】
また、前記押圧レバーには、前記押圧板が交換可能な状態で、一体に連結固定されてなることを特徴とするものである。
【００１６】
また、前記シャッタにより開閉される前記パネルの開口が、ディスクの挿排に用いられてなり、前記シャッタの裏面部には、ディスクを挿排ガイドする貫通孔を有するガイド板が近接されて配設されてなることを特徴とするものである。
【００１７】
また、前記ガイド板に設けられた前記貫通孔は、断面がディスクの挿排方向に該貫通孔の中央部が狭められる傾斜のテーパ面を有し、挿排方向に直交する方向が長円形状、又は長楕円形状に成形されてなることを特徴とするものである。
【００１８】
また、前記シャッタの下部面には、該シャッタの開放時に、前記ガイド板の上部前縁との隙間を塞ぐリブが設けられ、前記ガイド板の下部前縁には、前記シャッタの閉鎖時に、前記リブが当接する突出部が設けられてなることを特徴とするものである。
【００１９】
【発明の実施の形態】
本発明の実施の形態について、図面を参照して説明する。
【００２０】
図１は本発明の第１の実施の形態に係るディスクのシャッタ開閉装置を示す斜視図で、図２はディスクのシャッタ開閉装置を示す側部断面図で、（ａ）はシャッタ閉鎖時の断面図、（ｂ）はシャッタ開放時の断面図、図３は回転軸部と付勢機構部の詳細図で、（ａ）は側面図、（ｂ）はＡ−Ａ鋳ｆ面図である。
【００２１】
尚、第１の実施の形態から第３の実施の形態までの同一構成品は第１の実施の形態で説明し、他の実施の形態では説明を省略する。
【００２２】
本発明の第１の実施の形態に係るディスクのシャッタ開閉装置（以降、シャッタ開閉装置と総称する）１０は、ＣＤ、ＭＤ、ＤＶＤ等の記録媒体を挿排する挿排口８ａが設けられた前面パネル８を有するディスク装置１等に用いられ、この挿排口８ａを開閉するために設けられたシャッタ１１を前面パネル８に取付固定したものである。
【００２３】
シャッタ開閉装置１０は、挿排口８ａを開閉するための左右両側部に支持フレーム１２を有するシャッタ１１、シャッタ１１の開閉支点となる回転支持軸１３、支持フレーム１２に一体連結された回転レバー１４、シャッタ１１を回動自在に装着保持しているホルダ１６、ディスク装置１に設けられているディスク挿排駆動部２に連結された押圧レバー１５、シャッタ１１を開閉する回動力を還元するための付勢機構部４０等で構成されている。
【００２４】
前面パネル８は、四角型の板形状に樹脂材等で形成されたもので、ディスク装置１等のパネルとして用いられている。この前面パネル８にはＣＤ、ＭＤ、ＤＶＤ等の記録媒体を挿排する挿排口８ａが長方形等の形状に形成され、前面パネル８の裏面の挿排口８ａの下部面には、装置内の挿排口８ａ附近の隙間を塞ぐための当て板９とホルダ１６が取付固定されている。
【００２５】
シャッタ１１は、長方形の薄板形状に樹脂材等で成形されており、前面パネル８に設けられたＣＤ、ＭＤ、ＤＶＤ等の記録媒体を挿排する挿排口８ａを開閉するために設けられたものである。このシャッタ１１には、その左右両端部に、支持フレーム１２がそれぞれ樹脂材等で一体成形（又はそれぞれ取付ネジ等を用いて取付固定）されている。
【００２６】
支持フレーム１２は、シャッタ１１の左右両端部に一体に連結されており、この支持フレーム１２にはシャッタ１１を開閉する支点となる回転支持軸１３を挿入する嵌合孔１２ａがシャッタ１１の位置から離れた位置に形成されている。
【００２７】
そして、この支持フレーム１２の嵌合孔１２ａを回転支点として、嵌合孔１２ａの下部に突出した回転レバー１４が連結されており、それぞれが樹脂材等で一体成形（又は取付ネジ等を用いて取付固定）されている。
【００２８】
この支持フレーム１２は、ディスク装置１に設けられているディスク挿排駆動部２に連結された押圧レバー１５により、支持フレーム１２に連結された回転レバー１４が押圧され回動する。即ち、押圧レバー１５による回転レバー１４への押圧により、図２に示す回転支持軸１３の中心Ｃ１１から回転レバー１４への作用点までの離間した距離Ｌ１２にモーメントが働き、回転レバー１４が回転支持軸１３の中心Ｃ１１を支点として矢印Ｒ１１方向に押圧回動することになる。
【００２９】
これにより、回転レバー１４の僅かな回動ストロークで、支持フレーム１２に連結されたシャッタ１１を矢印Ｒ１１方向に大きな回動ストロークで回動するので、シャッタ１１により塞がれていた前面パネル８の挿排口８ａが開放されることになる。
【００３０】
尚、回転支持軸１３の中心Ｃ１１を挿排口８ａの上下方向の中央位置Ｃ１２よりも下方に設けることにより、シャッタ１１の開放が前面パネル８に設けられたイジェクト釦６のＯＮ操作（ＯＮ操作によりディスク挿排駆動部２が起動され、回転レバー１４が押圧レバー１５により押圧される）により行われるだけでなく、閉鎖された状態のシャッタ１１を直接押圧して回動開放することもできる。この回動開放は、シャッタ１１への押圧作用点である中央位置Ｃ１２と回転支持軸１３の中心Ｃ１１との離間した距離Ｌ１３にモーメントが働くことにより、シャッタ１１が回転支持軸１３の中心Ｃ１１を支点として矢印Ｒ１１方向に押圧回動するものである。
ホルダ１６は、コ字型形状に樹脂材等で一体成形されており、シャッタ１１が連結された左右の各支持フレーム１２を回転支持軸１３を介して回転自在に装着した状態で、ディスク装置１の前面パネル８の裏面に取付設置するものである。
このホルダ１６には、支持フレーム１２の嵌合孔１２ａに挿入嵌合された回転支持軸１３を取付固定するネジ孔１６ａが設けられている。
【００３１】
尚、本実施に係る形態のもののホルダ１６は、コ字型形状に樹脂材等で一体成形され、前面パネル８の裏面に取付設置するようにしているが、これにこだわることなく、Ｌ字型形状に樹脂材等で成形し、ディスク装置１の固定板５等に取付設置するようにしても良い。
【００３２】
押圧レバー１５は、金属材、又は樹脂材等で成形されており、ディスク装置１に設けられているディスク挿排駆動部２に連結されている。押圧レバー１５は、ディスク４の挿排時に、ディスク挿排駆動部２の駆動に連動されて移動（図３に示す矢印Ｐ１１方向）し、支持フレーム１２に連結された回転レバー１４を回転支持軸１３を支点として押圧回動するものである。そして、押圧レバー１５の回転レバー１４を押圧する押圧面１５ａの上面縁部１５ｂには僅かな丸み等を有する面取りを形成し、回転レバー１４の回動に対応させて、回転レバー１４の押圧面と押圧レバー１５の上面縁部１５ｂとが摺動する接触面を滑り易くして押圧することもできる。
【００３３】
この押圧レバー１５の移動ストローク（図３に示す寸法Ｌ１１）に対応して、回転レバー１４が所定角度範囲（図２に示すシャッタ１１の所定角度範囲Ｒ１１に相当したもの）で回動するように、押圧レバー１５の回転レバー１４への作用点（図２に示す回転支持軸１３の中心から寸法Ｌ１２離間した位置）が設定されることになる。これにより、この比較的小さい押圧レバー１５の移動ストロークＬ１１で、押圧レバー１５の移動ストロークＬ１１より大きいシャッタ１１の回動ストロークを得ることができる。
【００３４】
又、支持フレーム１２に連結されたシャッタ１１の自重に対応した開閉回動力を還元し、押圧レバー１５による押圧力を小さくするために付勢機構部４０が回転レバー１４部に設けられている。又、ディスク装置１に設けられているディスク挿排駆動部２には、例えばディスク４を挿入格納するための挿入口部に、ディスク４を挿入し易くするためのテーパ面３ａを有するガイドホルダ３が設けられている。
付勢機構部４０は、図２、３に示すように、支持フレーム１２に連結されたシャッタ１１の自重による回転支持軸１３を支点とした矢印Ｒ１１方向とは逆方向へのシャッタ１１を閉鎖する回転力を還元し、押圧レバー１５による押圧力を小さくするために設けられたもので、ピアノ線状のバネ材４１とバネ材４１を引っ掛け保持する支持ピン４２、４３、４４等より構成されている。
支持ピン４３、４４は、金属材等で形成されており、それぞれホルダ１６に取付固定されている。
支持ピン４２は、金属材等で形成されており、回転レバー１４に取付固定されている。
バネ材４１は、弾性を有するピアノ線材等で成形されており、圧縮されて歪まされた状態で支持ピン４２、４３、４４に引っ掛けられて装着されている。このバネ材４１は、支持フレーム１２に連結されたシャッタ１１の自重による回転支持軸１３を支点とした反時計方向（シャッタ１１を閉鎖する方向）へのモーメントに対向させて、回転レバー１４に回転支持軸１３を支点とした時計方向（シャッタ１１を開放する矢印Ｒ１１方向）へ、バネ材４１の歪による反力が与えられ、シャッタ１１の自重によるモーメントがバネ材４１の反力で還元されるように付勢されたものである。
そして、このバネ材４１の歪み量により変化する反力（例えば、シャッタ１１の閉鎖時におけるバネ材４１の歪み量と反力は大きい状態にある）は、支持フレーム１２に連結されたシャッタ１１の自重による回転支持軸１３を支点とした反時計方向（シャッタ１１を閉鎖する方向）への回転角度により変化するモーメント（例えば、シャッタ１１の閉鎖時におけるシャッタ１１の自重によるモーメントは大きい状態にある）に対応させて、シャッタ１１の自重によるモーメントからバネ材４１の反力を差し引いた値が、略一定になるように設定されている。
従って、このバネ材４１の歪による反力は、シャッタ１１等の自重によるモーメントより小さい所定値に設定され、押圧レバー１５による押圧が解除された時、シャッタ１１は、常に反時計方向へ回動（シャッタ１１等の自重によるモーメントからバネ材４１の歪による反力を差し引いたモーメントで回動されている）され、閉鎖された状態にある。
このバネ材４１の付勢により、押圧レバー１５による押圧力を小さくすることができ、しかも押圧レバー１５による押圧が解除された時、バネ材４１の歪による反力を差し引いたシャッタ１１等の自重による反時計方向へのモーメントでシャッタ１１を閉鎖することができる。
尚、本実施の形態に係るもののバネ材４１は、支持フレーム１２に連結されたシャッタ１１の自重による反時計方向（シャッタ１１を閉鎖する方向）へのモーメントに対向させて、シャッタ１１を時計方向（シャッタ１１を開放する矢印Ｒ１１方向）に回転するように付勢されているが、これにこだわることなく、シャッタ１１の自重が小さい場合等においては、押圧レバー１５による押圧が解除された時、シャッタ１１を閉鎖する反時計方向に付勢するようにしても良い。
次に、シャッタ開閉装置１０の動作について、図２を参照して説明する。
【００３５】
シャッタ開閉装置１０の支持フレーム１２を有するシャッタ１１が閉鎖している状態では、図２（ａ）に示すように、シャッタ１１の左右両端部を連結している支持フレーム１２を回転自在に装着しているホルダ１６が、ディスク装置１の前面パネル８の裏面部に設置され、シャッタ１１が前面パネル８の挿排口８ａを塞いでいる。そして、ディスク装置１のディスク挿排駆動部２の前面部がＳ１１の位置に配設され、ディスク挿排駆動部２に連結された押圧レバー１５がシャッタ１１の閉鎖時における支持フレーム１２に連結された回転レバー１４に当接された状態になっている。そして、付勢機構部４０のバネ材４１は、支持フレーム１２に連結されたシャッタ１１の自重に対応して歪まされて矢印Ｒ１１方向に付勢されている。
【００３６】
シャッタ１１を回動して前面パネル８の挿排口８ａを開放し、ＣＤ等のディスク４をディスク装置１に挿排する時には、ディスク装置１の前面パネル８に設けられたイジェクト釦６をＯＮ操作し、ディスク挿排駆動部２を起動することにより、ディスク挿排駆動部２の前面部がＳ１１の位置からＳ１２の位置まで矢印Ｐ１１の方向に駆動されることにより行われる。
【００３７】
このディスク挿排駆動部２の起動により、ディスク挿排駆動部２に連結された押圧レバー１５が矢印Ｐ１１の方向に連動移動され、押圧レバー１５が支持フレーム１２に連結された回転レバー１４を押圧して、回転レバー１４を回転支持軸１３を支点として矢印Ｒ１１の方向に回動する。この回転レバー１４の回動により、支持フレーム１２に連結されたシャッタ１１を回動して前面パネル８の挿排口８ａを開放し、この挿排口８ａからディスク４を挿排する。この時、付勢機構部４０のバネ材４１は、支持フレーム１２に連結されたシャッタ１１の各自重によるモーメントに対向した反力が得られるように歪まされて矢印Ｒ１１方向に付勢されているので、押圧レバー１８による回転レバー１４への押圧力は軽減された状態にある。
【００３８】
そして、ディスク４を挿排した後は、ディスク挿排駆動部２が逆方向に駆動し、ディスク挿排駆動部２に連結された押圧レバー１５が矢印Ｐ１１とは逆の方向に移動し、回転レバー１４への押圧が解かれ、支持フレーム１２に連結されたシャッタ１１が自重によるモーメントからバネ材４１の歪による反力を差し引いた所定のモーメントにより矢印Ｒ１１とは逆の方向に回動し、シャッタ１１が前面パネル８の挿排口８ａを閉鎖することになる。又、ディスク装置１に格納されているディスク４を取り出す時には、前面パネル８に設けられたロード釦７をＯＮ操作し、ディスク挿排駆動部２を駆動し、ディスク挿排駆動部２に連結された押圧レバー１５を移動することにより行われる。
【００３９】
以上のように、本ディスクのシャッタ開閉装置１０は、シャッタ１１に連結された支持フレーム１２をシャッタ１１から離れた位置で回転支持軸１３を介して回転自在にホルダ１６に直接装着し、回転レバー１４を支持フレーム１２の回転支持軸１近傍に連結しているので、ディスク挿排駆動部２に連結された押圧レバー１５で回転レバー１４を押圧回動することにより、シャッタ１１を開閉できるので、部品点数の削減と作業効率の向上、及び省スペース化を図ることができる。
【００４０】
次に、第２の実施の形態に係るディスクのシャッタ開閉装置について、図面を参照して説明する。
【００４１】
図４は本発明の第２の実施の形態に係るディスクのシャッタ開閉装置を示す詳細断面図である。
【００４２】
本発明の第２の実施の形態に係るディスクのシャッタ開閉装置（以降、シャッタ開閉装置と総称する）２０は、ＣＤ、ＭＤ、ＤＶＤ等の記録媒体を挿排する挿排口８ａが設けられた前面パネル８を有するディスク装置１等に用いられ、この挿排口８ａを開閉するために設けられたシャッタ１１を前面パネル８に取付固定したもので、第１の実施の形態に係るものに対し、ディスク挿排駆動部２に連結された押圧レバーによる押圧範囲に対応させて、回転レバー２４の回動範囲が所定範囲内に規制されるように回転レバー２４の形状がスライド面を有するものに形成されると共に、押圧レバーが樹脂材で成形された先端部の押圧板を交換可能な状態で、一体に連結固定されるようにしたものである。従って、支持フレーム２２に連結された回転レバー２４の形状と押圧レバーの構造を変えた以外は、第１の実施の形態に係るものと同一なので、その構成等の説明は省略する。
【００４３】
支持フレーム２２は、シャッタ２１の左右両端部に一体に連結されており、この支持フレーム２２にはシャッタ２１を開閉する支点となる回転支持軸２３を挿入する嵌合孔２２ａがシャッタ２１の位置から離れた位置に形成されている。
【００４４】
そして、この支持フレーム２２の嵌合孔２２ａを回転支点として、嵌合孔２２ａの下部に突出した回転レバー２４が連結されており、それぞれが樹脂材等で一体成形（又は取付ネジ等を用いて取付固定）されている。
【００４５】
この回転レバー２４には、押圧レバー２５に一体結合された押圧板２６により押圧される押圧面２４ａと押圧板２６の上面に当接するスライド面２４ｂが設けられている。
【００４６】
支持フレーム２２に連結された回転レバー２４は、ディスク装置１に設けられているディスク挿排駆動部２に連結された押圧レバー２５の押圧板２６により押圧され、シャッタ２１の開放時には、図４に示すように、回転支持軸２３の中心Ｃ１１を支点として矢印Ｒ２１方向に設定された所定角度に押圧回動された状態となる。
【００４７】
即ち、押圧レバー２５に一体結合された押圧板２６の押圧面２６ａが、初期位置Ｓ２３から位置Ｓ２４まで矢印Ｐ２１方向に移動することにより、回転レバー２４の押圧面２４ａが押圧板２６の押圧面２６ａに押圧されて、矢印Ｒ２１方向に回動され、回転レバー２４のスライド面２４ｂが押圧板２６の上面に当接した状態となる。これにより、押圧板２６の押圧面２６ａが矢印Ｐ２１方向にさらに移動しても、押圧板２６の上面が回転レバー２４のスライド面２４ｂにスライド移動することにより、回転レバー２４は設定された所定角度に回動されるため、押圧レバー２５の移動ストロークのバラツキに影響されず、支持フレーム２２に連結されたシャッタ２１は、所定角度に開閉され、バラツキが防止される。又、回転レバー２４の僅かな回動ストロークで、支持フレーム２２に連結されたシャッタ２１を矢印Ｒ２１方向に大きな回動ストロークで回動し、シャッタ２１により塞がれていた前面パネル８の挿排口８ａが開放されることになる。
【００４８】
押圧レバー２５は、前面部に押圧板２６をネジ２７等で交換可能な状態で連結固定するためのネジ孔が設けられた段差を有する形状に、金属材、又は樹脂材等で成形されており、ディスク装置１に設けられているディスク挿排駆動部２に連結されている。押圧レバー２５は、ディスク４の挿排時に、ディスク挿排駆動部２の駆動に連動されて移動（図４に示す矢印Ｐ２１方向）し、押圧板２６を介して支持フレーム２２に連結された回転レバー２４を回転支持軸２３を支点として押圧回動するものである。
【００４９】
押圧板２６は、Ｌ型形状に自己潤滑性材料等の合成樹脂材で成形されており、押圧レバー２５の段差部にネジ２７等を用いて交換可能な状態で連結固定されている。この押圧板２６は、前面の押圧面２６ａと上面のスライド面が滑り易い平面状に形成され、支持フレーム２２に連結された回転レバー２４を押圧回動するものである。そして、押圧板２６の回転レバー２４を押圧する押圧面２６ａの上面縁部２６ｂには僅かな丸み等を有する面取りを形成し、回転レバー２４の回動に対応させて、回転レバー２４の押圧面２４ａと押圧板２６の上面縁部２６ｂとが摺動する接触面を滑り易くして押圧することもできる。
【００５０】
尚、回転支持軸２３の中心Ｃ２２を挿排口８ａの上下方向の中央位置Ｃ２１よりも下方に設けることにより、シャッタ２１の開放が前面パネル８に設けられたイジェクト釦６のＯＮ操作（ＯＮ操作によりディスク挿排駆動部２が起動され、回転レバー２４が押圧板２６により押圧される）により行われるだけでなく、閉鎖された状態のシャッタ２１を直接押圧して回動開放することもできる。この回動開放は、シャッタ２１への押圧作用点である中央位置Ｃ２１と回転支持軸２３の中心Ｃ２２との離間した距離Ｌ２３にモーメントが働くことにより、シャッタ２１が回転支持軸２３の中心Ｃ２２を支点として矢印Ｒ２１方向に押圧回動するものである。
次に、シャッタ開閉装置２０の動作については、図４に示すように、第１の実施の形態に係るものに対し、押圧レバー部を押圧レバー２５と押圧板２６を連結したものにし、回転レバー２４は押圧板２６により押圧される押圧面２４ａと押圧板２６の上面に当接するスライド面２４ｂを形成した形状にしたもので、動作については、略同一なので、説明を省略する。
【００５１】
以上のように、本ディスクのシャッタ開閉装置２０は、第１の実施の形態に係るものの効果以外に、回転レバー２４をスライド面２４ｂを形成した形状にし、押圧レバーの移動ストロークのバラツキに対し、回転レバー２４を所定角度に回動するようにしているため、シャッタ２１の開閉角度を一定に保持でき、品質が安定したものとなる。又、押圧レバー２５に自己潤滑性材料等の合成樹脂材で成形された押圧板２６を交換可能な状態で連結しているため、押圧板２６の押圧面が滑り易くなり、押圧レバー２５の押圧力が軽減でき、しかも押圧板２６の押圧面２６ａが磨耗等した時には、押圧板２６を交換することができる。
【００５２】
次に、第３の実施の形態に係るディスクのシャッタ開閉装置について、図面を参照して説明する。
【００５３】
図５は本発明の第３の実施の形態に係るディスクのシャッタ開閉装置を示す詳細断面図で、（ａ）は側面断面図、（ｂ）はＢ−Ｂ鋳ｆ面図である。
【００５４】
本発明の第３の実施の形態に係るディスクのシャッタ開閉装置（以降、シャッタ開閉装置と総称する）３０は、第１の実施の形態に係るものに対し、ディスク４を挿排ガイドするための貫通孔が設けられ、下部前縁に突出部を有するガイドフレーム３７、３８が前面パネル８の挿排口８ａ近傍の裏面に、シャッタ３１に近接して配設された状態でホルダ３９を介して設置固定されたものである。そして、シャッタ３１の下部面にはガイドフレーム３７の前縁との隙間を塞ぐためにリブ３１ａが追加形成されたものである。
【００５５】
従って、シャッタ３１に近接して配設されたガイドフレーム３７、３８とシャッタ３１の構造を変えた以外は、第１の実施の形態に係るものと同一なので、その構成等の説明は省略する。
【００５６】
シャッタ３１は、下部面にＬ型形状に折り曲げられたリブ３１ａが設けられ、長方形等の薄板形状に樹脂材等で成形されており、前面パネル８に設けられたＣＤ、ＭＤ、ＤＶＤ等の記録媒体を挿排する挿排口８ａを開閉するために設けられたものである。
【００５７】
このリブ３１ａは、シャッタ３１が開放した時、上部ガイドフレーム３７の前縁３７ｃとの隙間を塞ぎ、しかもシャッタ３１が閉鎖した時、下部ガイドフレーム３８の下部面に設けられた突出部３８ｃの内面に当接するように、設けられたものである。
【００５８】
このシャッタ３１には、その左右両端部に、支持フレーム３２がそれぞれ樹脂材等で一体成形（又はそれぞれ取付ネジ等を用いて取付固定）されている。
【００５９】
この支持フレーム３２にはシャッタ３１を開閉する支点となる回転支持軸３３が前面パネル８に設けられた挿排口８ａの上下方向の中央位置Ｃ３１に近接した位置Ｃ３２に配設された状態で支持フレーム３２の嵌合孔に挿入され、ホルダ３９に装着されている。これにより、シャッタ３１が回転支持軸３３を支点として矢印Ｒ３１方向に回動した時、ガイドフレーム３７、３８の前縁がシャッタ３１に干渉しないように、ガイドフレーム３７、３８をシャッタ３１に僅かな隙間まで近接して配設することができる。
ホルダ３９は、コ字型形状に樹脂材等で一体成形されており、底部内面にはテーパ面が形成された貫通孔を有する上部ガイドフレーム３７と下部ガイドフレーム３８が連結された状態で取付固定され、両側面部にはシャッタ３１が連結された左右の各支持フレーム３２を回転支持軸３３を介して回転自在に装着されている。そして、このホルダ３９は、上部ガイドフレーム３７と下部ガイドフレーム３８及びシャッタ３１に連結された各支持フレーム３２を回転支持軸３３を介して回転自在に装着した状態で、ディスク装置１の前面パネル８の裏面に取付設置されている。
【００６０】
尚、本実施に係る形態のもののホルダ３９は、コ字型形状に樹脂材等で成形され、上部ガイドフレーム３７と下部ガイドフレーム３８が連結された状態で取付固定されるようにしているが、これにこだわることなく、上部ガイドフレーム３７と下部ガイドフレーム３８をホルダ３９に樹脂材等で一体成形するようにしても良い。又、ホルダ３９を前面パネル８の裏面に取付設置するようにしているが、これにこだわることなく、ディスク装置１の固定板５等に取付設置するようにしても良い。
【００６１】
上部ガイドフレーム３７と下部ガイドフレーム３８は、樹脂材等で一体成形（又はそれぞれ取付ネジ等を用いて取付固定）されており、シャッタ３１の裏面部に近接して配設されている。この上部ガイドフレーム３７と下部ガイドフレーム３８は、シャッタ３１が閉鎖された状態のまま、ディスク４が無理やり挿入されることにより、シャッタ３１に外力が加わった場合等において、外力によるシャッタ３１の歪みを上部ガイドフレーム３７と下部ガイドフレーム３８の前面縁部３７ｃで当接押圧して歪み力を抑制すると共に、内部にテーパ面３７ａ、３７ｂ、３８ａ、３８ｂを有する貫通孔４１を設けて、ディスク４を斜めに挿排しても支障無く挿排できるようにしたものである。このガイドフレーム３７、３８は、ディスク４を挿排する貫通孔４１の挿排方向断面が中央部が狭められるように傾斜されたテーパ面３７ａ、３７ｂ、３８ａ、３８ｂを有し、挿排方向に直交する方向が長円形状、又は長楕円形状に成形されている。又、下部ガイドフレーム３８の下部面には突出部３８ｃが設けられ、シャッタ３１が閉鎖した時には、シャッタ３１のリブ３１ａが当接し、シャッタが開放した時には、装置内の挿排口下部附近の隙間が塞がれるようになっている。
【００６２】
そして、貫通孔４１の挿排方向にはテーパ面３７ａ、３７ｂ、３８ａ、３８ｂが設けられているため、ディスク４を斜めに挿排してもテーパ面３７ａ、３７ｂ、３８ａ、３８ｂとの当接によって、ディスク４の挿排方向を正しい方向に案内することができ、挿排が容易となる。
【００６３】
又、ディスク装置１に設けられているディスク挿排駆動部２には、例えばディスク４を挿入格納するための挿入口部に、ディスク４を挿入し易くするためのテーパ面３ａを有するガイドホルダ３が設けられている。
次に、シャッタ開閉装置３０の動作については、図５に示すように、第１の実施の形態に係るものに対し、ディスク４を挿排ガイドするための貫通孔が設けられたガイドフレーム３７、３８を前面パネル８の挿排口８ａ近傍の裏面に、シャッタ３１に近接して配設し、シャッタ３１の下部面にはガイドフレーム３７の前縁との隙間を塞ぐためのリブ３１ａが形成されたもので、動作については、略同一なので、説明を省略する。
【００６４】
以上のように、本ディスクのシャッタ開閉装置３０は、第１及び第２の実施の形態に係るものの効果以外に、ディスク４を挿排ガイドするための貫通孔が設けられたガイドフレーム３７、３８をシャッタ３１の裏面に近接して配設することにより、閉鎖された状態のシャッタ３１へのディスク４の挿入等による外力を緩和し、ディスク４を斜めに挿排しても支障無く挿排できるようにディスク４の挿排をし易くすることができる。
【００６５】
【発明の効果】
以上説明したように、前面パネルの開口の裏面に設けられた、開口を開閉するシャッタ開閉装置において、シャッタに連結された支持フレームを回転自在にホルダに回転支持軸を介して直接装着し、支持フレームの回転支持軸近傍に連結している回転レバーを、押圧レバーで押圧回動してシャッタを開閉しているので、部品点数の削減と作業効率の向上、及び省スペース化を図ることができる。
【図面の簡単な説明】
【図１】本発明の第１の実施の形態に係るディスクのシャッタ開閉装置を示す斜視図である。
【図２】ディスクのシャッタ開閉装置の側部断面図である。
【図３】回転軸部と付勢機構部の詳細図である。
【図４】本発明の第２の実施の形態に係るディスクのシャッタ開閉装置を示す詳細断面図である。
【図５】本発明の第３の実施の形態に係るディスクのシャッタ開閉装置を示す詳細断面図である。
【図６】従来のディスクのシャッタ開閉装置を示す動作説明図である。
【符号の説明】
１・・・ディスク装置
２・・・ディスク挿排駆動部
３・・・ガイドホルダ
４・・・ディスク
５・・・固定板
６・・・イジェクト釦
７・・・ロード釦
８・・・前面パネル
９・・・当て板
１０、２０、３０、５０・・・ディスクのシャッタ開閉装置
１１、２１、３１、５１・・・シャッタ
１３、２３、３３・・・回転支持軸
１４、２４、３４・・・回転レバー
１５、２５、３５・・・押圧レバー
１６、２８、３９・・・ホルダ
２６・・・押圧板
３７・・・上部ガイドフレーム
３８・・・下部ガイドフレーム
４０・・・付勢機構部
４１・・・バネ材
４２、４３、４４・・・支持ピン
５２・・・連結ピン
５３・・・連結移動板
５４・・・回動部
５５・・・受圧回転レバー
５６・・・押圧回転レバー
５７・・・回転軸
５８・・・押圧レバー
５９・・・付勢機構部
【図１】
2004022002.tif 000003
【図２】
2004022002.tif 000004
【図３】
2004022002.tif 000005
【図４】
2004022002.tif 000006
【図５】
2004022002.tif 000007
【図６】
2004022002.tif 000008